Podtech/llm-jp-corpus-v4-ja_patent huggingface dataset:
(57)【要約】【課題】現状、ポリ製ドーナツ状スペーサーは梁のスターラップ筋等縦筋に使用するとその底面部に生コンの充填不良による巣が発生してしまう。【解決手段】上述、充填不良の原因が縦筋に装着され、水平に配された該スペーサーによる生コンの流動阻害に起因しているので生コンの上から下への流動方向に対する面積を少なくした最終的には扇状を呈するポリ製スペーサーを提供する。【選択図】図１
2013032671.tif 000002
【特許請求の範囲】
【請求項１】
図１のごとくの梁、壁用ポリ製スペーサーであって半径方向中央部に互いに逆向きの返しの山を有することを特長とし、これらを噛合わせることにより鉄筋を銜える部分が締め付けられて強固に鉄筋に固定される建築用スペーサー。
【請求項２】
図１のごとくの梁、壁用ポリ製スペーサーであって縦筋に装着、使用しても生コンの流動方向に対する面積が小さい扇状を呈していることで該底面部における生コンの充填不良を回避できると共に原材料費も節約できる建築用スペーサー。
【発明の詳細な説明】
【技術分野】
【０００１】  鉄筋コンクリート造の建築物の柱、床、壁、梁の施工にさいしては躯体コンクリート内に埋設する鉄筋の所定のかぶりを確保するためにスペーサーが使用されている。
該スペーサーには種々の材質、形状があり、それぞれ適材適所で使用されている。本発明はポリ製で梁及び壁の施工で使用するスペーサーに関する。
【背景技術】
【０００２】  従前、ポリ製で梁、壁用スペーサーとしては、価格や取扱い易さの観点から円盤状をした所謂ポリドーナツと称するスペーサーが最もよく使用されている。
該ポリ製スペーサーは概ねドーナツ形状で中央部に対象となる鉄筋より若干大きい孔を有し、該孔の一部は該鉄筋に装着するための割れ部が設けてある。また該割れ部分には一度装着したスペーサーが簡単には外れない様、ヒレ状の返しを有している。
【発明の開示】
【発明が解決しようとする課題】
【０００３】  該ポリ製ドーナツ状スペーサーは、上述のごとく多々長所を有しており、それ故梁用、壁用スペーサーとして最も多く市場に出回っているが、地中梁を含む梁の鉄筋に対して使用する場合は少なからず問題がある。即ちかぶりの対象となる梁の鉄筋の最外部は所謂スターラップ筋と称される縦筋であり、したがって該縦筋にポリドーナツを装着すれば、該ポリドーナツは水平状態におかれ、その結果打設時の生コンは該ポリドーナツに流動を阻害され該底面側に充填不良の巣が発生してしまう。
該充填不良を回避する方法としてスターラップ筋の内側に水平に配される腹筋に該ポリドーナツを装着することになるが、所定のかぶりを変えるわけにはいかないのでスターラップ筋の太さを加えたより大きいポリドーナツを使用することになり、不経済である。
【課題を解決するための手段】
【０００４】  上述のごときの従前のポリ製ドーナツ状スペーサーの問題点、即ち生コンの該底面部における充填不良は、生コンの上から下への流動方向に対して該スペーサーの面積が大きい事に起因しており、したがってスペーサーを縦筋に装着した際に該スペーサーの面積が小さくなっていればよいと考えられる。本発明者はスペーサーの本来の機能、即ち鉄筋のかぶりを保障し、鉄筋に強固に固定することのできる横筋はもちろん縦筋に使用しても該スペーサーの周囲に充填不良が発生しないポリ製のスペーサーを開発した。【０００５】  以下、本発明を図に従い、詳しく説明する。
図１は本発明品の平面図であり、ここで符号１は鉄筋を銜える部分であり、鉄筋に差込むための符号２の割込みがはいっている。符号３は型枠と直に接する部分であり、従前のポリ製ドーナツ状スペーサーと同じく型枠解体後にポリ部が露見しない様、小突起形状としてある。
符号４は生コンの充填不良を防止するための抜き孔であり、これも従前のスペーサーと同じ施しであるが、実際には該孔に生コンの粗骨材が詰まり該スペーサー底面部の巣を防ぎきれない。
符号５及び符号６は本発明に係る特殊形状部で互いに逆向きの返しがついているので一旦噛合うと外れない様になっている。この返しの山はそれぞれ数個付いており、符号１で鉄筋を銜えて後、矢印の方向に絞ったときには山は通常互いに３分の２程度が噛合った状態で収まっている。これは本発明品がポリ製であることに由来する。即ちポリ製品は一般的に夏場と冬場で硬さが異なり、たとえば夏場は比較的柔らかくなるので山のすべてが噛合うまで絞らないと鉄筋を締め付けて外れないような強度が得られないのである。冬場はこれとは全く逆の事情となり、それ故この山は数個必要となるのである。
ここで重要なことは、前述の主旨に沿って面積を減らすべく半円状にした本発明品たるポリ製スペーサーは上述のごとく返しの山を噛合わせたとき、その面積はさらに減り従前のポリ製ドーナツ状スペーサーのほぼ３分の１になるということであり、したがって該スペーサー底面部の生コンの充填不良は一層解消されるものと考えるに至った。
図２は本発明品の側面図である。また図３は本発明品をスターラップ筋を想定した縦筋に固定したときの平面図であり、該スペーサーは扇状となる。ここで符号７は該鉄筋、符号８は型枠のコンパネである。図４は同じく側面図である。
【発明の効果】
【０００６】  本発明品は、従前のポリ製ドーナツ状スペーサーのように生コンの充填不良を回避するため例えば前述のごとく地中梁鉄筋の腹筋に必要以上に大きいサイズのスペーサーを使用してコストを上げることもなく、また自身の形状が扇状であるので原材料費も半減できるのである。
【実施例】
【０００７】  原材料にポリエチレンを使用して鉄筋径が概ね１３ｍｍの所謂Ｄ１３と称する鉄筋に対応し、且かぶりが４０ｍｍとなる本発明品たる縦筋用ポリ製スペーサーを試作した。
試作品を作ったのは５月で符号５と６の山の数はそれぞれ４個にした。これを鉄筋に固定したところ山が３個噛合ったとき強固に該鉄筋に固定された。
以上の準備をした上で本発明品たるポリ製梁用スペーサーを建築現場に持ち込み、梁幅６００ｍｍ、梁成８００ｍｍの上階の梁のスターラップ筋に装着、使用した。梁の１断面当り、上下に２個、左右に２個の計４個を３断面に使用した。即ち合計１２個を装着して試験を行った。
その結果、該スペーサー１２個すべてが、スターラップ筋から転落することもなく、型枠解体後の確認においても該スペーサーの周囲、特に危惧された底面部におけるコンクリートの巣即ち充填不良は認められなかった。
【図面の簡単な説明】
【０００８】
【図１】  本発明品の平面図
【図２】  本発明品の側面図
【図３】  本発明品を鉄筋に固定したときの平面図
【図４】  本発明品を鉄筋に固定したときの側面図
【符号の説明】
【０００９】１，鉄筋を銜える部分
２，割込み部分
３，型枠と接する小突起部
４，抜き孔
５，返しの山
６，符号５と噛合う逆向き方向の返しの山
７，鉄筋
８，型枠のコンパネ
【図１】
2013032671.tif 000003
【図２】
2013032671.tif 000004
【図３】
2013032671.tif 000005
【図４】
2013032671.tif 000006
(57)【要約】【課題】陸カロートの扉を壊れにくく、修理がしやすい構造にする。【解決手段】扉７の下辺に沿って円形断面部７ａを形成する。敷居材１１の上面には、その円形断面部７ａに適合する半円状の溝１１ａを左右方向に設ける。扉の下辺にある円形断面部７ａを、敷居材の半円状の溝１１ａにはめ込むことで、扉７は自在に回動することができ、扉７を起こせば納骨口５が閉じ、扉を手前に倒せば、納骨口が開く。【選択図】図１
2013032656.tif 000002
【特許請求の範囲】
【請求項１】
納骨口の下辺に沿って設けられた石材製の敷居材に下辺を枢支され、起倒することで該納骨口を開閉する扉を有し、該敷居材にはその長さ方向に沿って半円形の溝が形成され、他方、該扉の下辺に沿って、該溝に係合する円形断面部が形成されている陸カロート。
【請求項２】
該扉を引き起こしてこれを閉じた状態に保持するためのストッパキーを有しており、該扉および該納骨口の上側部材のそれぞれに、該ストッパキーが挿入するキー穴が設けられている請求項１に記載の陸カロート。
【請求項３】
該扉を引き起こしたとき、該扉が垂直状態を超え、わずかに後傾した状態まで回動するよう構成された請求項１または２に記載の陸カロート。
【発明の詳細な説明】
【技術分野】
【０００１】
この発明は、カロート（納骨堂）に関し、さらに詳しくは、墓地の上に設置される露出型のカロート（いわゆる陸カロート）に関する。
【背景技術】
【０００２】
陸カロートは、石材で箱型に形成され、内部は納骨室になっており、正面に扉があって、これを開くと納骨室に通じる納骨口が現れる。墓碑は陸カロートの上に立てられ、カロートの上部、墓碑の前には香炉や花立が置かれる。
従来の陸カロートでは扉が観音開きになっており、扉の各々は上下端を金属のピンでカロート本体に回動自在に支持されている。このようなピン構造は、年月が経つと、ピン自体またはそのピンが入るピン穴（石材にあけられた穴）が壊れやすく、修理が必要になる。しかし、カロートの上下の石材の間に扉が組み込まれているので、扉は簡単には外れない。修理するときは、まず、カロートの上に載っている墓碑、香炉および花立を下ろし、カロートの上板を取り除かなければならない。このように、扉の修理には費用が多く掛かるという問題がある。
蓋石を枢支するために蝶番を使うことも考えられるが、蝶番をボルトを使って取り付けても、石材側のボルト穴が割れやすい。
【発明の概要】
【発明が解決しようとする課題】
【０００３】
この発明は、壊れにくく、壊れたときは簡単に修理できる陸カロートの扉を提供することを課題とする。
【課題を解決するための手段】
【０００４】
陸カロートの正面納骨口を開閉する扉を、起き上がったり、倒れたりして開閉する構造にすると共に、扉の下側の敷居材にはその長さ方向に沿って半円形の溝を形成し、他方、該扉の下辺に沿って、該溝に係合する円形断面部を形成する。こうすることで、扉は敷居材の溝の周りに自在に回動でき、納骨口を開閉することができる。このものでは、金属ピンや蝶板を用いないので壊れにくく、また、扉は上に持ち上げるだけで取り外すことができ、壊れたときは新しい扉に簡単に取替えができる効果がある。
【０００５】
閉めてあった扉が手前に倒れると危険であり、扉を閉じた状態に保持するためのストッパキーを設けることが望ましい。扉と、納骨口の上辺に沿って設けられた上側部材のそれぞれに、キー穴をあけておき、これらキー穴にストッパキーを挿入する。
また、ストッパキーを抜き取ったとたんに、自重で扉が手前に倒れてくると危険である。そこで、扉は垂直よりやや後方に傾いた状態で閉じるようにすると安全である。
【図面の簡単な説明】
【０００６】
【図１】陸カロートの斜視図あり、扉が閉じた状態を示す。
【図２】扉が開いている状態を示す陸カロートの斜視図である。
【図３】扉が閉じた状態の断面図である。
【発明を実施するための形態】
【０００７】
この陸カロート１は、図１、図２に示すように、石材で箱型に形成され、内部が納骨室３になっている。カロートの正面に納骨口５があり、その納骨口は扉７で開閉される。納骨室３の上部は蓋石９で塞がれ、その上に、図示しない墓碑、花立  香炉等が載る。なお、納骨室３に底板はなく、納骨室は地面と直に接している。
【０００８】
扉７は石材製で、その下辺は、納骨口５の敷居材１１に回動自在に支持されている。その構造を説明すると、扉７の下辺に沿って円形断面部７ａを形成し、敷居材１１の上面には、その円形断面部に適合する半円状の溝１１ａを左右方向に設ける。扉の下辺にある円形断面部７ａを敷居の溝１１ａにはめ込むことで、扉７は自在に回動することができる（図３も参照）。したがって、扉７を起こせば納骨口５が閉じ（図１）、扉を手前に倒せば、納骨口が開く（図２）。
【０００９】
扉７を閉じた状態に保持できるよう、このカロートはストッパ１３を備えている。ストッパは下に延びるキー１３ａを一体に備えており、ストッパ本体部には家紋等が彫り込まれる。納骨口５の上側部材１５にはストッパの本体部１が収まる窪み１５ａと、その窪みからさらに下方に向けてあけられたキー穴１５ｂを備えている（図２）。他方、扉７は上端に、直角に折曲したフランジ部７ｂを備えており、このフランジ部にもキー穴７ｃがある。
【００１０】
普段、図３に示すように、扉が閉まった状態では、ストッパ１３は窪み１５ａの中にはめ込まれ、ストッパ１３から延びるキー１３ａが、扉７のフランジのキー穴７ｃに挿入されており、扉が開くことはない。納骨時は、窪み１５ａに収まっているストッパ１３を抜き去ることにより、扉は、図３に鎖線で示すように、手前に倒すようにして、開くことができる。
【００１１】
なお、ストッパを抜き取ったとたんに、自重で扉が手前に倒れてくると危険である。そこで、図３に鎖線で示すように、扉は垂直よりやや後方に傾いた状態で閉じるようにするとよい。
【符号の説明】
【００１２】
１      陸カロート
３      納骨室
５      納骨口
７      扉
７ａ    円形断面部
７ｃ    キー穴
１１    敷居材
１１ａ  半円状の溝
１３ｂ  ストッパーキー
１５    上側部材
１５ｂ  キー穴
【図１】
2013032656.tif 000003
【図２】
2013032656.tif 000004
【図３】
2013032656.tif 000005
(57)【要約】【課題】夏の暑い時期などに、体内温度の上昇による暑さを緩和するために、冷却剤を収納するポケットを設けた衣類を提供する。【解決手段】シャツ１  パンツ２にポケット３を設け、ポケットの中に保冷剤などの冷却剤４を入れ、皮下血管を冷やすことにより、涼しく使用できるようにする。【選択図】図２
2013032603.tif 000002
【特許請求の範囲】
【請求項１】
衣類の首筋  脇の下  パンツの足の付け根等の、皮下血管の浅い部分にポケットを設け冷却剤を装着し、血流を冷却する事により、体内温度の上昇を和らげるもの。
【請求項２】
ポケットによって冷却剤を保持し、睡眠時や軽作業にも使用できるもの。
【請求項３】
一般の冷却剤保冷剤が使用でき、予備剤との交換が簡単にできる事により効果を持続する事ができるもの。
【発明の詳細な説明】
【技術分野】
【０００１】本発明は、体温上昇による暑さを解決するために、シャツの首筋  脇の下やパンツの足の付け根部にポケットを装着し、そこに冷却剤などを入れ皮下血管を冷やす事で涼しく使用できるようにしたものである。
【背景技術】
【０００２】従来は、冷却剤を装着するポケットを設けたシャツは、なかった。
【発明の概要】
【発明が解決しょうとする課題】
【０００３】夏の暑い時期、体温の上昇を防止するには首筋  脇の下  足の付け根を保冷剤など、冷却剤で冷やすのが良いが、その位置に冷却剤を保持しておくのが困難である。本発明は、この課題を解消するためになされたものである。
【課題を解決するための手段】
【０００４】シャツ等衣類１の首筋  脇の下  パンツ２の足の付け根部にポケット３を設け、ポケット３の中に保冷剤４を装着することにより、保持出来るようにした。
【発明の効果】
【０００５】シャツの首筋  脇の下  パンツの足の付け根部のポケットに装着した冷却剤により皮下  血管を冷却する事が出来、体内温度の上昇を抑える。
ポケットで冷却剤が保持出来る事により、睡眠時や軽作業中にも使用できる。
また、簡単に予備の冷却剤との交換が容易で効果を持続する事が出来る。
【図面の簡単な説明】
【０００６】
【図１】本発明のシャツ本体の正面図である。
【図２】本発明のパンツ本体の正面図である。
【発明を実施するための形態】
【０００７】以下、本発明の形態について説明する。
（イ）シャツ１の首筋  脇の下部に冷却剤４を保持するポケット３を取り付ける。
（ロ）パンツ２の足の付け根部に冷却剤４を保持するポケット３を取り付ける。
【符号の説明】
【０００８】１  シャツ本体
２  パンツ本体
３  ポケット
４  冷却剤
【図１】
2013032603.tif 000003
【図２】
2013032603.tif 000004
(57)【要約】【課題】  歯科治療の患者への着脱が容易であり、患者に不快感を与えることのない歯科用エプロンの提供。【解決手段】  歯科医患者の両肩部を保護する左右一対の肩保護部２ａと患者の胸部を保護する胸保護部２ｂを有するエプロン本体２と、エプロン本体２の肩保護部２ａの裏面に貼着した左右一対の離型紙付両面テープ３とを備え、両面テープ３の長尺方向の両端部に、粘着部４の両端から離型紙５の両端部を延在させた離型紙引き剥がし用延在部５ａを設ける。【選択図】図１
2013032604.tif 000002
【特許請求の範囲】
【請求項１】
歯科医患者の両肩部を保護する左右一対の肩保護部および前記患者の胸部を保護する胸保護部を有するエプロン本体と、前記左右一対の肩保護部それぞれの裏面に貼着された左右一対の離型紙付両面テープとを備え、
前記左右一対の各離型紙付両面テープの離型紙は、前記両面テープの端縁より食み出す離型紙引き剥がし用延在部を有することを特徴とする歯科用エプロン。
【請求項２】
前記離型紙の前記延在部に引き剥がし目印を設けたことを特徴とする請求項１記載の歯科用エプロン。
【発明の詳細な説明】
【技術分野】
【０００１】  本発明は、歯科治療時に患者に装着される歯科用エプロンに関する。
【背景技術】
【０００２】  患者を仰向けに寝かせた状態で行われる歯科治療においては、患者の肩や胸を覆うエプロンが一般的に使用されている。この種エプロンは、防水性の使い捨てエプロンが通常である（特許文献１参照）。
【先行技術文献】
【特許文献】
【０００３】
【特許文献１】実開平０４−０３３６０９号公報
【発明の概要】
【発明が解決しようとする課題】
【０００４】  上記歯科用エプロンは、患者の肩部と胸部を覆う矩形サイズのもので、患者の首に巻き付ける首掛け部を有する。このようなエプロンは、歯科治療の前後に患者の首に巻き付け巻き戻す手作業を必要として、患者への着脱が面倒であり、患者に不快感を与えることがある。
【課題を解決するための手段】
【０００５】  本発明の歯科用エプロンは、歯科医患者の両肩部を保護する左右一対の肩保護部および患者の胸部を保護する胸保護部を有するエプロン本体と、左右一対の肩保護部それぞれの裏面に貼着された左右一対の離型紙付両面テープとを備え、左右一対の各離型紙付両面テープの離型紙は、両面テープの端縁より食み出す離型紙引き剥がし用延在部を有することを特徴とする。
【発明の効果】
【０００６】  本発明の医科用エプロンによれば、患者の首回りに巻き付け巻き戻すといった手作業が無くなるので、患者への着脱が簡便になり、患者に不快感を与えることが無くなる。
【図面の簡単な説明】
【０００７】
【図１】実施の形態を示す歯科用エプロンの背面図である。
【図２】図１の部分拡大断面図である。
【図３】他の実施の形態を示す両面テープの部分拡大図である。
【図４】他の実施の形態を示す両面テープの部分拡大図である。
【発明を実施するための形態】
【０００８】  以下、本発明の実施の形態を図１〜図４に基づいて説明する。
【実施例１】
【０００９】  図１に示す歯科用エプロン１は、歯科医患者の両肩部を保護する左右一対の肩保護部２ａおよび患者の胸部を保護する胸保護部２ｂを有するエプロン本体２と、エプロン本体２の肩保護部２ａの裏面に貼着した左右一対の離型紙付両面テープ３とを備える。エプロン本体２は、左右一対の肩保護部２ａの間に患者の首が入るサイズの半円形の切欠き６を有する。【００１０】  左右一対の各離型紙付両面テープ３の形状は、横長の長方形であるが、正方形や円形などであってもよい。両面テープ３は図２に示すように、エプロン本体２に接着した粘着部４と、粘着部４の表面に貼着した離型紙５を備える。長方形の両面テープ３の長尺方向の両端部は、粘着部４の両端から離型紙５の両端部を延在させた離型紙引き剥がし用延在部５ａにしてある。この延在部５ａは両面テープ３の両端部に限らず、片端部のみに設けてもよい。【００１１】  図１の歯科用エプロン１は、歯科治療の患者に次のように装着される。左右一対の両面テープ３の離型紙５を延在部５ａを利用して剥がしておく。離型紙５の延在部５ａは粘着部４から食み出した離型紙のみの開放端部であるので、この延在部５ａを指で挟んで図２の鎖線で示すように粘着部４から引き離せば、離型紙５の引き剥がしが容易にして確実、短時間で行うことができる。次に、エプロン１を患者の前面側から患者の肩部の着衣上に被せ、両面テープ３の粘着部４を軽く押し付けて貼り付ければ、患者へのエプロン装着が終了する。このように、エプロン装着時に患者の首回りに巻き付けるといった手作業が不要となるので、患者への装着が簡便にして短時間で行え、かつ、患者に不快感を与えることが無い。
【実施例２】
【００１２】  図３に示す両面テープ３は、離型紙５の延在部５ａに引き剥がし目印７ａを形成している。この引き剥がし目印７ａは、延在部５ａの表面に印刷などで形成した着色印で、離型紙５と異なる色を成す。歯科医や助手が両面テープ３から離型紙５を指で引き剥がすとき、目印７ａを目視することで延在部５ａが即座に分かり、離型紙引き剥がしが簡単、迅速に行える。
【実施例３】
【００１３】  図４に示す両面テープ３は、離型紙５の延在部５ａに引き剥がし目印７ｂを形成している。この引き剥がし目印７ｂは、延在部５ａの片側部に形成した切り欠きで、延在部５ａの幅を他の離型紙５の幅より小さくしている。このように延在部５ａの形状を他の離型紙５の形状と相違させることで、延在部５ａが目視で即座に分かり、離型紙引き剥がしが簡単、迅速に行える。
【産業上の利用可能性】
【００１４】  本発明は、歯科用エプロンを製造および販売する産業で利用される。
【符号の説明】
【００１５】１  歯科用エプロン
２  エプロン本体
２ａ  片保護部
２ｂ  胸保護部
３  両面テープ
４  粘着部
５  離型紙
５ａ  延在部
７ａ  引き剥がし目印
７ｂ  引き剥がし目印
【図１】
2013032604.tif 000003
【図２】
2013032604.tif 000004
【図３】
2013032604.tif 000005
【図４】
2013032604.tif 000006
(57)【要約】【課題】この発明は裏込めモルタルを使用しないで施工し、又土留壁の勾配面積を少なくして施工のスピード化を図れるようにすることを課題とする。【構成】異なる２つのコンクリートブロックを一体化しその利点を活かしたコンクリートブロックである。【選択図】図１
2013011153.tif 000002
【特許請求の範囲】
【請求項１】
土留を施工する場所にコンクリートで製品化した物を連続して積み立て一体化した土留壁とする土留コンクリートブロック
【発明の詳細な説明】
【技術分野】
【０００１】この発明は製品化したコンクリートブロックで、土留を必要とする場所に土留用コンクリートブロックとして連続した壁を組み立て施工する物である。
【背景技術】
【０００２】従来のブロックは、水圧に耐えるように、裏側にモルタルを充填し、勾配を大きくして連続壁として組み立てている。
【発明の開示】
【発明が解決しようとする課題】
【０００３】コンクリートブロックの裏側にモルタル充填をする必要がなく、最小限の勾配で組み立て、施工のスピードアップを図れるように考えたコンクリートブロック。
【課題を解決するための手段】
【０００４】タテ３５０ｍｍ×ヨコ４９０ｍｍ×厚さ７０ｍｍの長方形のコンクリートブロックを１つの形状とし、タテ３５０ｍｍ×ヨコ４９０ｍｍ×長さ３５０ｍｍの塊の３５０ｍｍの奥行の長さ方向に対して上下７０ｍｍ左右７０ｍｍの傾斜を持つコンクリートブロックとして形成し、この２つのコンクリートブロックを合体する部分で上下左右、一方向に７０ｍｍずらして１つのコンクリートブロックとして一体化、製品としたものである。
【発明の効果】
【０００５】後からの土圧、水圧に対して上下左右が連続して互いに影響し合っているので、全体的に１つの壁として作用する。又このコンクリートブロックの奥行の長さに対して上下左右に７０ｍｍ傾斜した形状にしているので、この形も上下左右にコンクリートブロックが干渉し合い、コンクリート自体の重みも加わって土留壁としての役割を充分に発揮する。
この形状が、上下に７０ｍｍの傾斜をつける事により大きな勾配を取らなくて済み、土留壁の占める面積を少なくできる。
このコンクリートブロックの互いの干渉により、裏込めのためのモルタルも必要としない。
【発明を実施するための最良の状態】
【０００６】この一対のコンクリートブロックは、後からの土圧、水圧を考えると一体の壁として組み立てるので、一つ一つのコンクリートを水平タテ方向に整然と乱れなく組み立てねばならない。
基となる土台のレベル高さが変わらないように一直線に決め、コンクリートブロックを隙間ができないように並べ、二段目からは裏込め用土石を固めながら空隙ができないように積み上げていくことにより強固な土留壁となる。
【図面の簡単な説明】
【０００７】
【図１】本発明の斜視図
【図２】本発明の正面図
【図３】本発明の上面図
【図４】本発明の側面図
【符号の説明】
【０００８】▲１▼は３５０ｍｍ×４９０ｍｍ×７０ｍｍの長方形の塊部材
▲２▼は３５０ｍｍ×４９０ｍｍ×３５０ｍｍの変形塊部材
本製品は上記の▲１▼、▲２▼を一体化した製品である。
【図１】
2013011153.tif 000003
【図２】
2013011153.tif 000004
【図３】
2013011153.tif 000005
【図４】
2013011153.tif 000006
(57)【要約】【課題】本発明は、基礎が地震等で傾いた場合でも簡単に修復できる基礎の新規構造の提案にある。【解決手段】本発明は、建屋の基礎であって、当該基礎は上部基礎と下部基礎の２層からなり、当該２層の外縁接触面には両層に渡る空所が外面に向かって開口され、かつ前記上部基礎と下部基礎は互いにその位置が水平方向にずれないよう固定されるが、上部基礎は上方向に移動可能とした建屋の基礎である。基礎の傾きを修復できるよう基礎を２層とし、その２層とした基礎の水平方向のずれを防止し、上層を移動可能とした。【選択図】図1
2013011052.tif 000002
【特許請求の範囲】
【請求項１】
建屋の基礎であって、当該基礎は上部基礎と下部基礎の２層からなり、当該２層の外縁接触面には両層に渡る空所が外面に向かって開口され、かつ前記上部基礎と下部基礎は互いにその位置が水平方向にずれないよう固定されるが、上部基礎は上方向に移動可能とした建屋の基礎。
【発明の詳細な説明】
【技術分野】
【０００１】
本発明は、地盤の沈下等に伴う建て屋基礎を修復可能とするための基礎技術に属する。
【背景技術】
【０００２】
軟弱地盤上の建屋は地震等によりその基礎が傾き居住不能となる事態に陥ることがある。基礎が傾いた場合の修復方法は、基礎の下に膨張性の樹脂を注入しその膨張により基礎の傾きを修復する工法（特開２００８−２０１０８２、特開２０１０−１２６９５５）、あるいは基礎の周辺を掘り下げ、耐圧板を介し基礎をジャッキアップする方法、建て屋の基礎下を掘り起こし家屋の荷重で鋼管を支持層まで打ち込み鋼管の反力を利用して家屋を支えジャッキアップして基礎の傾きを修復する方法等が実用に供されている。
【先行技術文献】
【特許文献】
【０００３】
【特許文献１】特開２００８−２０１０８２
【特許文献２】特開２０１０−１２６９５５
【発明の概要】
【発明が解決しようとする課題】
【０００４】
本発明は、基礎が地震等で傾いた場合でも簡単に修復できる基礎の新規構造の提案にある。
【課題を解決するための手段】
【０００５】
本発明は、建屋の基礎であって、当該基礎は上部基礎と下部基礎の２層からなり、当該２層の外縁接触面には両層に渡る空所が外面に向かって開口され、かつ前記上部基礎と下部基礎は互いにその位置が水平方向にずれないよう固定されるが、上部基礎は上方向に移動可能とした建屋の基礎である。
基礎の傾きを修復できるよう基礎を２層とし、その２層の基礎のうち上層を移動可能とした。
【発明の効果】
【０００６】
本発明は、（１）基礎を上下２層に構成し、２層の水平方向へのズレを防止し、上層のみを上方に移動できるようにしたため基礎を水平に修復できる。（２）２層の外縁接触面には両層に渡る空所を外面に向かって開口したため、この空所にジャッキ等を設置し上部基礎を上げることができる。
【図面の簡単な説明】
【０００７】
【図１】は、２層とした建屋基礎がべた基礎の場合の概念図を示す。
【図２】は、基礎の平面図、側断面図を示す。
【図３】は、２層とした建屋基礎が布基礎の場合の概念図を示す
【図４】は、上部基礎のジャッキアップの状況を示す概念図である。
【発明を実施するための形態】
【０００８】
以下本発明を、図を用いて、より詳細に説明する。
図１は、２層としたべた基礎と建屋を示す概念図である。本べた基礎は、上部基礎と下部基礎の２層構造となっている。上部基礎と下部基礎の間にはシート類を挟み、両層が直接接触しないようになっている。基礎の側面縁部には両層に渡り空所が設けられ、本空所に上部基礎を上方に移動させるジャッキ等が設置できるようになっている。
【０００９】
図２は、べた基礎の平面図および側断面図である。本図では空所は各側面に３箇所設けられているが特にその数に制限はない。空所は上下２層の基礎にまたがるように設けられている。また上部基礎と下部基礎が地震などにより水平方向にずれないよう図では、基礎の４隅は下基礎に設けられた杭により上部基礎が嵌合している。上部基礎と嵌合する部分は細めに形成され、シリコンゴム等の弾性体が巻かれている。こうする事により、上部基礎が斜めに上昇する時の歪を弾性体が吸収する。
上部基礎と下部基礎の水平方向へのズレの防止は上記方法に限らず、例えば図３に示すように、基礎の各隅に断面L型の杭を打ち込むことで防止してもよい。
【００１０】
図３は、布基礎の平面図および側断面図である。基本的にはべた基礎の場合と同じである。また独立基礎の場合、各基礎を上記と同様上部基礎と下部基礎との２層構造とすればよい。
【００１１】
図４は、基礎側面に設けられた空所に油圧ジャッキ等を設置し、上部基礎を上方に動かす状態を示している。上部基礎を上方に移動させる方法はジャッキに限らず、空所に蓋し、蓋に設けた隙間より膨張性のポリマー溶液を流し込む方法、あるいは空所に蓋し、気密性を有する袋を挿入し、蓋に設けた隙間と袋の開口部を合わせ、空気を袋内に供給することにより膨らませることにより上部基礎を上方に移動させることでもよい。
【００１２】
上部基礎を上方に移動させ水平とした後、下部基礎と上下基礎との間にコンクリート、硬質ポリウレタンフォーム等を流し込み固定すれば建屋は水平に修復される。
【産業上の利用可能性】
【００１３】
建屋の基礎として利用できる。特に軟弱地盤に建築する場合、地震に対する備えとして有効である。
【符号の説明】
【００１４】
１  基礎
２  上部基礎
３  下部基礎
４  空所
５  杭
６  弾性体
７  ジャッキ
【図１】
2013011052.tif 000003
【図２】
2013011052.tif 000004
【図３】
2013011052.tif 000005
【図４】
2013011052.tif 000006
(57)【要約】      （修正有）【課題】放射能漏れや大気汚染の心配を無くし、省エネで大きなクリーンなエネルギーを生み出し、大気に優しい発電が出来る事を目的とした送風機発電装置を提供する。【解決手段】送風機発電装置は強力な送風機１を用いて、風車２を回転させ、該回転を発電モーターに伝えて、その回転で電気を起こす事を特徴とする送風機発電装置。【選択図】図１
2013011264.tif 000002
【特許請求の範囲】
【請求項１】
本発明の送風機発電装置は、強力な送風機（１）を用いて、風車（２）を回転させその回転を発電モーター（３）に伝えて発電するものです。原子力発電は放射能漏れが心配だし火力発電は、大気汚染が心配だし、太陽光発電は設置場所が広く必要だしまた夜間は発電できないし、風力発電は発電量が不安定である。該発電装置は大気にやさしく天候や昼夜に関係なく終日発電ができる事を特徴とする。
【発明の詳細な説明】
【発明の詳細な説明】
【技術分野】
【０００１】本発明は、送風機を用いて省エネでクリーンなエネルギ発生させる、大気に優しい送風機発電装置に関するものである。
【背景技術】
【０００２】従来の発電の方法は、原子力発電や火力発電や水力発電が主流である、その他エンジン付きの発電機や風力発電などがある、また最近は太陽光を利用したソーラ発電もある。
【発明が解決しようとする課題】
【０００３】ところが従来の原子力発電は、放射能漏れが心配であり現在関東地方で発生してしまつた火力発電は、大気汚染が心配である、また前記の発電方法や水力発電は大規模な設備が必要である、このような問題にかんがみ、本発明は前記を解決する為の新規な体系の送風機発電装置を提供するものである
【課題を解決するための手段】
【０００４】その要旨は、送風機を用いて風車を回転させ、該回転で発電モーターを回転させて電気を起こす、前記を揃えて構成する送風機発電装置である。
【発明を実施するための形態】
【０００５】以下、本発明について図面を参照しながら詳細にせつめいする。
図１に示すように、強力な送風機（１）用いて、風車（２）を回転させ該回転で発電モーター（３）を回転させて発電を行なうもので、大気に優しい発電方法である。
また、風車の規模を大きくすれば、発電量は増える、以上、前記の強力送風機（１）と風車（２）を利用して構成されることを特徴とする、送風機発電装置
【それは次のように使用されている】
【０００６】従来の、原子力発電や火力発電の方法を、本発明の送風機発電装置を使用する事により放射能漏れや大気汚染の心配をなくし、省エネで大きなクリーンなエネルギーを生み出し大気に優しい送風機発電装置が使用されている。
【発明の効果】
【０００７】以上述べたような、本発明の送風機発電装置は、次のような効果があつた。
それは、燃料を必要とせず送風機の風力で風車を回転させて発電する方法で、小規模でクリーンなエネルギーを生み出し、大気に優しい事を目的とする。
【図面の簡単な説明】
【図１】本発明の風車の詳細図である
【図２】本発明の断面図
【符号の説明】（１）          強力送風機
（２）          風車
（３）          発電モーター
（４）          風受板
（５）          風車外枠
（６）          ベルト
（７）          Ｈ鋼
（８）          基礎
【図１】
2013011264.tif 000003
【図２】
2013011264.tif 000004
(57)【要約】      （修正有）【課題】通常の風力発電は上下型回転式風力発電が多く、広大なスペースと大規模な建造物が必要とされている。【解決手段】風車の最先端に船が動力とした帆の機能を取付けて横回転する。そして、風は這うようにどこでも吹き入れるので羽・羽に１２枚の内１０枚の羽に常に力を蓄え風を動力として活動している。【選択図】図１
2013011262.tif 000002
【特許請求の範囲】
【請求項１】
通常の風力発電は上下型回転式風力発電が多く、広大なスペースと大規模な建造物が必要とされている。
しかし、当発明の風車は古代から人々が帆を頼りに重い船を動力として使用していた。  その帆の機能を生かし、風に角度（使い方）を合わせ、巧みに操縦すると追風（Ｓ）、横風（Ａ）、登り風（Ｋ）をも動力として活用できます。その帆のノーハウを取入れて、風車の先端に１２枚の羽を取付けています。帆の性能は低速でパワーもあり音も少ない。
【発明の詳細な説明】
【発明の詳細な説明】
【技術分野】
【０００１】  本発明は、上下回転する風車ではなく、上下垂直軸、水平に横回転する風車です。最先端に風上（カザカミ）に登る羽（Ｃ）と風下（カザシモ）で回転する羽（Ｂ）が１２枚ついています。噴射式タービンは固定噴射口より正面に噴射されるが、当風車は正面の羽にだけでなく、方向、風上、風下に関係なく同時に１２枚の内１０枚の羽に同時に大量の風が羽に当たり強力なパワーとなります。
【背景技術】
【０００２】  従来の風車は上下回転で広大なスペース・巨大な高さの塔などで費用が莫大であり、経費の面においても所有者は限定されている。そして、塔のまわりは危険区域で住むことも他の利用価値もない。
当風車は下部も周辺も使用可能となります。
【発明が解決しようとする課題】
【０００３】  風車が回転する場合、通常、羽を風上に向け上下回転するもので高い塔、広大な敷地が必要とされている。しかし、当発明は風向の方向は自由で横回転するので、高い塔も広大な敷地も必要ない。又  羽１２枚の内１０枚に風下５枚、風上５枚づつすべてパワーがある。
【課題を解決するための手段】
【０００４】  当風車は上下回転でなく、横回転するため、当然風に当たる面積が大であり、その点パワーも回転力もあるが、裏風も入る確立も高い。それを解決するため、風車下部に円錐（Ｄ）を取付けている。少々の風はこの方法で十分である。そして、台風、暴風の場合は、風車の周りに太陽パネル（Ｈ）の倉庫に必要分だけ、下げて格納する。
【発明の実地の形態】
【０００５】  当発明風車は方向はさだめず、風下（Ｓ）追風で回転さす羽（Ｂ）と風上（Ｋ）登り風で回転さす羽（Ｃ）とが相互回転力となっているので従来の風車とは大分パワーが違う。羽（Ｂ）においては、風下Ｓ（追風）が羽（Ｂ）５枚に常に風の通路（Ｅ）を流れる様に止めることなく、勢をつけて周囲の大量の風を合理的に捕らえるので、最大のパワーとなる。
また、風に対立する羽（Ｃ）においては、登り風（Ｋ）と風車の羽（Ｃ）は交差するので強力な揚力と考えられる。言い換えると
例  登り風（Ｋ）風速５ｍ・風車速度  秒速４ｍの場合は固定羽に風速９ｍの風が通過した場合と同等以上と考えられ、強力回転力となる。そして、羽を通過する風は常に８０％以上の風を取入れ動力としている。
【実地例】
【０００６】  以下  添付面に従って実地例を説明する。
風車を回転さす１２枚の内  羽（Ｂ）５枚は追風（ｓ）により、風量、風圧を流れる様に勢をつけて回転する。一方  向かい風（ｋ）に対面する１２枚の内  羽（ｃ）５枚は風に登る、揚力を発揮して、向い風（ｋ）を倍増して強力な力で回転している。
【図面の簡単な説明】
【０００７】
【図１】  登り風車の平面図である。
【図２】  登り風車の側面図と登る揚力羽
【図３】  登り風車の小型・大型のスケッチと力の表
【符号の説明】
【０００８】Ａ    横風（よこかぜ）
Ｂ    追風（おいかぜ）で回る羽
Ｃ    風に向かって揚力で登る羽
Ｄ    暴風時に風車を安定さす円錐
Ｅ    風にパワーをつける通路
Ｆ    三点支柱のＨ鋼
Ｇ    上下するシャフト
Ｈ    ソーラーパネルの格納庫
Ｉ    発電機に連結する歯車
Ｊ    構築物
Ｋ    向かってくる風
Ｌ    大型三点支柱
Ｎ    小高い丘
Ｍ    小型風車
Ｏ    窓
Ｐ    入口扉
Ｑ    大型風車
Ｒ    野外格納庫
Ｓ    追風（おいかぜ）
Ｔ    海
【図１】
2013011262.tif 000003
【図２】
2013011262.tif 000004
【図３Ａ】
2013011262.tif 000005
【図３Ｂ】
2013011262.tif 000006
(57)【要約】      （修正有）【課題】シンプルな構造で、メンテナンスや耐久性に優れた加圧器を提供する。【解決手段】レシプロエンジンのクランク室に、気体吸入口及び気体吐出口を設け、それぞれにリードバルブ１，２を取り付けて、ピストン６の上昇下降の繰り返しによって吸入される気体を、クランク室で加圧して、クランク室から接続パイプでインテークマニホールド３を介して、燃焼室５へ加圧された気体を送り込む。シンプルな構造なので、メンテナンスや耐久性に優れたものになる。【選択図】図１
2013011266.tif 000002
【特許請求の範囲】
【請求項１】
レシプロエンジンのシリンダー内部のピストン上昇及び下降の繰り返し運動をクランク室に取り付けたＩＮ及びＯＵＴの各リードバルブでクランク室を加圧器とし加圧された気体をインテークマニホールドに圧縮保管しインレットバルブ開くと同時に加圧された気体を燃焼室に導くものである
【請求項２】
クランク室とインテークマニホールド間をリードバルブを介して取り付けることによりインテークマニホールドを加圧室として利用
【発明の詳細な説明】
【発明の詳細な説明】
【技術分野】
【０００１】  本発明はレシプロエンジンクランク室に気体吸入口及び気体吐出口を設けそれぞれにリードバルブ取り付けてピストン上昇下降繰り返しによって得られた気体をクランク室から接続パイプでインテークマニホールドに加圧された気体を送り込むものである
【背景技術】
【０００２】  排気ガスを利用してタービンを回し過給したターボ式。ベルト駆動などの過給器
【発明を実施するための形態】
【０００３】  本発明はレシプロエンジン燃焼室に加圧された気体投入によりエンジン性能向上を目的としたもので、それを図面で説明すれば、圧縮工程及び排気工程のピストン▲６▼上昇でリードバルブ▲１▼が開きクランク室に気体が導入される。そして導入された気体は燃焼工程及び吸入工程ピストン▲６▼下降でリードバルブ▲２▼が開き接続されたインテークマニホールド▲３▼に加圧された気体が蓄えられる。
吸入バルブ▲４▼開くと共に加圧された気体が▲５▼燃焼室に投入されることにより強力な爆発エネルギーが発生することでエンジン性能が向上される
【発明の効果】
【０００４】  このように従来の過給器と比べ、シンプルな構造なのでメンテナンスや耐久性により優れたものになる。
【図面の簡単な説明】
【図１】    クランク室にリードバルブ取り付け、マニホールドに接続パイプ取り付けた断面図である。
【図１】
2013011266.tif 000003
(57)【要約】【課題】バッテリーから自動車前照灯制御回路に供給される電圧が極端に低下した時にも、ランプの放電を安定に保ちながらランプ出力を制御して、ランプの点灯を保たれる点にある。【解決手段】電源回路、電力調整回路、直流ー矩形波変換回路、イグナイター始動回路および制御回路より構成されるシステムに、力電圧変動と直流―矩形波変換回路の変動を検知する回路と、それらの変動を電力制御回路にフィードバックする回路を追加して、電源電圧変動時にも入力電圧変動に対して安定して放電式ランプを駆動する。【選択図】図１
2013244843.tif 000002
【特許請求の範囲】
【請求項１】
自動車のバッテリーを電源として使用しバラスト(点灯回路)および高輝度放電ランプより構成される放電式ランプシステム（High Intensity Discharge lamp System)において、従来のバラストで一般的に構成される電源回路、電力調整回路、直流ー矩形波変換回路、イグナイター始動回路および制御回路該システムで、入力電圧変動と直流―矩形波変換回路の変動を検知する回路を有し、それらの変動を電力制御回路にフィードバックして、電源電圧変動時にも安定して放電式ランプを駆動する事を特徴とする高輝度前照灯システム
【発明の詳細な説明】
【技術分野】
【０００１】
本発明は、バッテリーなどの電圧低下時でも点灯可能な自動車用放電式前照灯システム（High Intensity Discharge lamp System）に関するものである
【背景技術】
【０００２】
自動車に使用されている高輝度放電式前照灯は、従来から使用されているハロゲンランプに比較して、消費電力が少なく高輝度であり、かつ長寿命であること、また発光色の色温度範囲がひろく使用できるため近年、前照灯のみならずフォグランプなど自動車用ランプとして幅広く使用されてきている。
しかし従来の放電式前照灯システムは、ランプの放電の安定性を保つためにバッテリー電源電圧が変動した場合でも常にランプの出力を、一定に保つように制御する方式を採用している。
従来のこの方式の場合、バッテリー劣化などにより電源電圧が低下した時に、電圧低下に応じて入力電流がほぼ比例して増加するため信頼性、安全性などの問題が発生する、このため従来システムでは、ある一定値以下に電圧が低下した時に自動的に回路を停止させる遮断回路が付加されている(一般的には定格電圧12Vのー10％の10V程度で遮断回路動作する)。しかしこの遮断回路が動作した場合、ランプが点灯しなくなるため特に夜間走行、トンネル走行時など非常に危険である。
この改善策として、従来は電圧低下時の遮断回路の動作電圧を出来るだけ低く設定する方法(低い製品で9X程度)が取られているが、バッテリー劣化時などの電圧低下には十分な対策にはならず、ランプが消えることの危険を取り除く事が出来ない。また遮断回路の動作電圧を低くすればするだけ、電圧低下時のバッテリー電流が大きくなり回路の信頼性が更に低下することになる。なお電源電圧の低下は、バッテリーの劣化以外にバッテリーとランプ間が長いリード線でつながれていた場合のリード線のインピーダンスによる電圧降下時にも起こる
【先行技術文献】
【特許文献】
【０００３】
【特許文献１】東芝レビューVoi.58 NO.4(2003)  水銀フリー自動車用前照灯用HIDランプ
【発明の概要】
【発明が解決しようとする課題】
【０００４】
従来の問題を解決する課題は、バッテリー電圧が変動した時に、一般的な白熱ランプ、ハロゲンランプのように電圧の変動に対してほぼ明るさが比例するように制御することが出来れば、電圧の極端な低下時にもバッテリーからの電流は増加しないためランプの点灯を停止する必要が無くなる。但しこの場合、バッテリー電圧が定格電圧より大きくなった場合には、ランプの信頼性を保つためにランプに過大に電力がかからないようにランプの出力電力を制御する必要がある。
【課題を解決するための手段】
【０００５】
バッテリー電圧の低下時のランプの放電の安定性を保つために、バラスト回路に入力電圧の変動と直流―矩形波変換回路の変動を検知する回路を設け、それらの変動を電力制御回路にフィードバックして、電源電圧変動時にも安定して放電式ランプを駆動し電源電圧低下時にはランプ出力を低下させ、かつ電源電圧が上昇したときにはランプ出力を定格電力に制御して遮断回路を不要にして、バッテリー劣化時の電圧低下時にもランプが消えることが無くまた電源電圧が上昇した時にもランプ出力を制御して信頼性を確保する。
【発明の効果】
【０００６】
バッテリー電圧低下時にランプの出力を低下させることにより遮断回路が不要になり、バッテリー劣化時などの電圧低下時にもランプが点灯出来るようになる。これによりバッテリー劣化時などの電圧低下時に供給電流も抑えられるため、回路の信頼性も高くなるという大きな利点がある
【図面の簡単な説明】
【０００７】
【図１】図１は、本発明の実施例であり自動車用放電方式前照灯システム（High Intensity Discharge lamp System）のブロック図を示す。１の自動車のバッテリーからの電源により、２のバラスト回路が動作して、３のバルブに電圧が供給されてランプが点灯する。２のバラスト回路は、4の電源回路、５の電力調整回路、６の直流―矩形波変換回路、７のイグナイター始動回路および8の制御回路より構成されている。本発明のバッテリー劣化時の電圧低下時にもランプの放電の安定性を保つために、9の入力電圧変動を検知してするDC-DCコンバーター回路と10の直流―矩形波変換回路の変動を検知してこの結果を電力調整回路に不フィードバックするPWM制御回路を追加した。
【図２】図２は、入力電圧と入力電流およびランプ出力電力特性を示す。従来システムの場合、バッテリー電圧（入力電圧）が、10V程度で遮断回路を動作させて、ランプを消灯していた。本回路を使用することにより6V程度に電圧が低下した場合でも、ランプには安定的に出力が供給される。
【発明を実施するための形態】
【０００８】
入力電圧変動と直流―矩形波変換回路の変動を検知する回路を従来のシステムに追加して、それらの変動を電力制御回路にフィードバックして、電源電圧変動に応じてランプの明るさを調整することによりランプを消す必要がなくまた信頼性の優れた放電方式の前照灯システムを実現できる。
【実施例】
【０００９】
図１の本発明の実施例を示すように。従来のシステムに入力電圧に連動するDC/DCコンバーターと直流―矩形波変換回路の変動を検知して電力制御回路を制御するPWM制御回路を追加することにより、バッテリー劣化時の電圧低下時でもランプを消す必要がなくなり、バッテリー劣化時の安定性が向上した。
【符号の説明】
【００１０】
1  バッテリー
２  バラスト
3  バルブ前照灯
4  電源回路
５  電力調整回路
6  直流ー矩形波変換回路
７  イグナイター始動回路
8  制御回路
9. DC/DCコンバーター回路
10. PWM制御回路
【図１】
2013244843.tif 000003
【図２】
2013244843.tif 000004
(57)【要約】【課題】シーツは何回か洗って使用している間にゴムが伸び、ゴムを取り替える事なくシーツ本体をボツにする事が多かった。本発明は、シーツのゴムが伸びても簡単に取り替えが出来、シーツを無駄にせず使用出来る事を可能にしたシーツを提供する。【解決手段】シーツのゴム通しの布の巾を広くし、ゴムを通す出入口両端にボタンを取り付けゴムの両端に２〜３個ボタンホールの開いたゴムを使用した事を特徴とした。【選択図】図１
2013244394.tif 000002
【特許請求の範囲】
【請求項１】
シーツのゴム通しの布の巾を広くし、ゴムを通す出入口両端にボタンを取り付け、ゴムの両端に２〜３個ボタンホールを設けたゴムを使用した事を特徴とする簡単なゴム取り替え可能なシーツ。
【発明の詳細な説明】
【技術分野】
【０００１】  本発明は、シーツのゴムが伸びた時、簡単に取り替えが出来るシーツに関するものである。
【背景技術】
【０００２】  従来、シーツのゴムは伸びてしまうと、ゴムは取り替えてまでは使わない方が多い様に思います。
【先行技術文献】
【０００３】
【発明の概要】
【発明が解決しようとする課題】
【０００４】  シーツは、何回も洗濯して使用している間にゴムが伸び、又ゴム自体がシーツ本体の両端に縫い付けてあるので、ゴムの取り替えがむずかしく手間がかかった。
本発明は、以上の問題点を解決するものである。
【課題を解決するための手段】
【０００５】  上記問題点を解決するため本発明は、ゴム通しの布の巾を広く、シーツのゴム通しの入口と出口の両端にボタンを付け、ゴムの両端にボタンを止める穴が２〜３個開いている物を使用し、少しくらいならゴムが伸びてもボタンホールで調節する事が出来る。
以上の構成よりなる簡単なゴム取り替え可能なシーツである。
【発明の効果】
【０００６】  本発明は、シーツのゴムが伸びても簡単に取り替えが出来、従来のようにゴムが伸びたからと言ってシーツがまだまだ使用出来るのに、ボツにしなくてはならなかった無駄を無くす事が出来る。
【図面の簡単な説明】
【０００７】
【図１】本発明の背面図である。
【図２】本発明に使用するボタンとボタンホール付きのゴムの図である。
【発明を実施するための形態】
【０００８】  以下、本発明の実施の形態を説明する。
（イ）シーツのゴムを通す所の布の巾を広くする。（１）
（ロ）シーツのゴム通しの入口と出口の両端にボタンを取り付ける。（２）
（ハ）ゴムの両端にボタンホールの付いているものを使用する。（３）
本発明は、シーツのゴムを通す所の布の巾を広くし、ゴムの出入り口にボタンを設けた事で、ゴムを取り替え、今迄以上に同じシーツを大切に使用出来ます。
【符号の説明】
【０００９】（１）ゴム通し布
（２）ボタン
（３）両端にボタンホールの開いたゴム
【図１】
2013244394.tif 000003
【図２】
2013244394.tif 000004
(57)【要約】【課題】本発明は、人間加齢と共に誰でも頻尿とゆう生理現象を発症するがその頻尿に伴なう不快な諸状況の解消又は緩和を目的とするものである。【手段】本体ケースの中に仕切られたポケット状小部屋を複数設け尿の入ったポリ袋を一時保管する簡易トイレ。【選択図】図５
2013244397.tif 000002
【特許請求の範囲】
【請求項１】
蓋付き本体ケースの内部に排尿入りポリ袋を一時保管するポケット状小部屋を複数設ける。
【請求項２】
ポリ袋に入っている排尿をトイレに流しに行く時に持ち運びし易い様に両サイド面に指を差し込む穴を設ける。
【発明の詳細な説明】
【技術分野】
【０００１】  本発明は、高齢化が足早やに進む中で夜間の頻尿に悩む老人が増加して居り、特に冬期の場合トイレ迄の往復で体を冷やし安眠を損うケースも多発して居る様である。
そこで本発明を寝室に備えて置けばその場で排尿の用を済ましすぐに睡眠に入る事が可能である。
【背景技術】
【０００２】  世の中、今後高齢者人口の増加スピードは速くなり且つ総人口の中の高齢者数の占める割合が増加の上昇カーブを描く現在高齢者の頻尿は社会問題であり製薬会社は排尿回数を減らす薬を売り出したり、部屋で排泄出来る便器が売り出される等々高齢者の排泄に関したニーズの商品が溢れている。
【発明の概要】
【発明が解決しようとする課題】
【０００３】  高齢者の排尿で一番の問題点は夜間の頻尿で特に冬期などはトイレの往復、排尿タイム等で体が冷えて安眠を妨げられている。又部屋に置いておける排泄便器（男女兼用）も有るが来訪者などが有った場合の見た目の抵抗感が有る。
本発明は以上の諸問題点を解消し快的な日常生活の向上を目差すものである。
【課題を解決するための手段】
【０００４】  本体ケースの中に複数のポケット状の小部屋を設け尿の入ったポリ袋を一時保管して置く。
本発明は以上の構成により高齢者の頻尿に付随する諸問題の解消と緩和を計る。
【発明の効果】
【０００５】  本発明を日常生活に取り入れる事により高齢者の特性である頻尿により発生する生活上の不快な諸症状の解消と軽減を実現し快適な日常生活の向上を実現するものである。
【図面の簡単な説明】
【０００６】
【図１】本発明の正面図
【図２】本発明の左側面図
【図３】本発明の右側面図
【図４】本発明の平面図
【図５】本発明の蓋を外した平面図
【図６】本発明の仕切板の平面図
【図７】本発明の仕切板の正面図
【図８】本発明の仕切板固定ベースの平面図
【発明を実施するための形態】
【０００７】  以下、本発明の実施の形態を説明する。
（イ）本発明を寝室に設置して置き事前にポケット状小部屋（４）にポリ袋を１枚づつ入れて置く。
（ロ）夜間尿意を発したら蓋（２）を開け確実にポリ袋を１枚取り出し排尿の用意が出来る。
本発明は以上の構成より成る。
本発明を使用する場合は夜間尿意により起き上り蓋（２）を開けポリ袋を取り出し用を済ませた後尿の入ったポリ袋をポケット状小部屋（４）に入れて置く。本発明は夜間だけでなく昼間も居間などに２ッ目の本発明を用意して置けば急な尿意にも安心出来る。
【符号の説明】
【０００８】  （１）本体ケース、（２）蓋、（３）ポケット状小部屋、（４）ポケット状小部屋（３）を構成する仕切板、（５）仕切板（４）を固定するベース板、（６）指を差し込み持ち運びする穴、（７）両面粘着テープ（この粘着テープの表面の紙は剥がさず使用者が剥がし仕切板（４）を組み立てる。）（８）接着剤を点線内に塗布して仕切板（４）と固定ベース板（５）とを接着しておく（工場内での作業）
【図１】
2013244397.tif 000003
【図２】
2013244397.tif 000004
【図３】
2013244397.tif 000005
【図４】
2013244397.tif 000006
【図５】
2013244397.tif 000007
【図６】
2013244397.tif 000008
【図７】
2013244397.tif 000009
【図８】
2013244397.tif 000010